(57)【特許請求の範囲】
【請求項１】
複数のページの画像データが、製本を行うためのページ順で複数枚のシートのそれぞれにレイアウトされた第１のデータ、及び、複数のページの画像データが、Ｎｉｎ１印刷を行うためのページ順で複数枚のシートのそれぞれにレイアウトされた第２のデータを格納する格納手段と、
前記第１のデータまたは前記第２のデータに含まれる複数のページの画像データをページごとの画像データに分割する分割手段と、
前記分割手段によって分割された複数のページの画像データのページ順を変更する変更手段と、
前記第１のデータに含まれる複数のページの画像データが前記分割手段によって分割される場合、前記分割手段によって分割された複数のページの画像データのページ順を前記変更手段が変更し終わってから、前記分割手段によって分割された複数のページの画像データの出力を開始し、前記第２のデータに含まれる複数のページの画像データが前記分割手段によって分割される場合、前記分割手段によって分割された複数のページの画像データのページ順を前記変更手段が変更し終わる前に、前記分割手段によって分割された複数のページの画像データの出力を開始する制御手段と
を有することを特徴とする画像処理装置。
【請求項２】
前記第２のデータに含まれる複数のページの画像データが前記分割手段によって分割される場合、前記分割手段によって、１枚のシートにレイアウトされた複数のページの画像データが分割されるごとに、
前記変更手段は、前記分割手段によって分割された複数のページの画像データのページ順を変更し、
前記制御手段は、前記変更手段によってページ順が変更された複数のページの画像データの出力を開始する
ことを特徴とする請求項１に記載の画像処理装置。
【請求項３】
前記分割手段によって分割されるデータが、前記第１のデータであるか、前記第２のデータであるかを判定する判定手段をさらに有し、
前記制御手段は、
前記判定手段によって、前記分割手段によって分割されるデータが前記第１のデータであると判定された場合、前記分割手段によって分割された複数のページの画像データのページ順を前記変更手段が変更し終わってから、前記分割手段によって分割された複数のページの画像データの出力を開始し、
前記判定手段によって、前記分割手段によって分割されるデータが前記第２のデータであると判定された場合、前記分割手段によって分割された複数のページの画像データのページ順を前記変更手段が変更し終わる前に、前記分割手段によって分割された複数のページの画像データの出力を開始する
ことを特徴とする請求項１に記載の画像処理装置。
【請求項４】
前記格納手段は、さらに、１枚のシートごとに単一のページの画像データがレイアウトされた第３のデータを格納し、
前記制御手段は、前記第３のデータに含まれる画像データを前記分割手段によって分割することを禁止する
ことを特徴とする請求項１乃至３の何れか１項に記載の画像処理装置。
【請求項５】
画像データに基づいてシートに画像を印刷する印刷手段をさらに有し、
前記制御手段は、
前記分割手段によって分割された複数のページの画像データを、前記印刷手段に印刷させることを特徴とする請求項１乃至４の何れか１項に記載の画像処理装置。
【請求項６】
画像データを送信する送信手段をさらに有し、
前記制御手段は、
前記分割手段によって分割された複数のページの画像データを、前記送信手段によってネットワークを介して外部装置に送信させることを特徴とする請求項１乃至４の何れか１項に記載の画像処理装置。
【請求項７】
前記判定手段は、
前記分割手段によって分割されるデータが、前記第１のデータであるか、前記第２のデータであるかを、前記分割手段によって分割されるデータに対応するジョブチケットに基づいて判定することを特徴とする請求項３に記載の画像処理装置。
【請求項８】
前記制御手段は、
前記分割手段によって分割された複数のページの画像データに白紙の画像データが含まれる場合、当該白紙の画像データを除く画像データを出力することを特徴とする請求項１乃至６の何れか１項に記載の画像処理装置。
【請求項９】
複数のページの画像データが、製本を行うためのページ順で複数枚のシートのそれぞれにレイアウトされた第１のデータ、及び、複数のページの画像データが、Ｎｉｎ１印刷を行うためのページ順で複数枚のシートのそれぞれにレイアウトされた第２のデータを、格納手段に格納する格納ステップと、
前記第１のデータまたは前記第２のデータに含まれる複数のページの画像データをページごとの画像データに分割する分割ステップと、
前記分割ステップで分割された複数のページの画像データのページ順を変更する変更ステップと、
前記第１のデータに含まれる複数のページの画像データが前記分割ステップで分割される場合、前記分割ステップで分割された複数のページの画像データのページ順を前記変更ステップで変更し終わってから、前記分割ステップで分割された複数のページの画像データの出力を開始し、前記第２のデータに含まれる複数のページの画像データが前記分割ステップで分割される場合、前記分割ステップで分割された複数のページの画像データのページ順を前記変更ステップで変更し終わる前に、前記分割ステップで分割された複数のページの画像データの出力を開始する制御ステップと
を有することを特徴とする画像処理装置の制御方法。
【発明の詳細な説明】
【技術分野】
【０００１】
本発明は、面付けされたイメージデータを複数のページに分割する画像処理装置及びその制御方法に関するものである。
【背景技術】
【０００２】
従来、ＤＴＰアプリやユーティリティで面付け製本したジョブについて、画像処理装置の記憶手段に保存することで繰り返しジョブの投入をする機能がある。こうすることで画像データの面付け製本にかかる作業時間の短縮が行われてきた。
しかし、ＤＴＰアプリやユーティリティで面付け製本したジョブについて、面付けや製本設定を解除した出力を得たいという要望は存在している。
【０００３】
特許文献１には、メモリにＲＩＰ前のデータを保存することで再印刷に備える画像処理装置が提案されている。これにより、ユーザはアプリケーションから再度面付けなしのジョブを投入する必要がなくなり、作業時間の短縮を図ることができる。また、特許文献２には、面付けされたイメージデータからイメージを分割するイメージ分割装置が提案されている。特許文献２に記載のイメージ分割装置では、複数のイメージデータが面付けされたイメージファイルとジョブの設定に基づいて、複数のページイメージデータを分割している。
【特許文献１】特開２００６−２８５６１０号公報
【特許文献２】特許第３９１２０１２号公報
【発明の開示】
【発明が解決しようとする課題】
【０００４】
しかしながら、上述した従来技術には以下に記載する問題がある。例えば、特許文献１に記載の画像処理装置では、予め再印刷のためにイメージデータをメモリに保存する必要があり、メモリに保存されるイメージデータサイズが増大するという問題がある。このため、メモリの容量を大きくするか、格納できる文書数に制限をかける必要があった。
【０００５】
一方、特許文献２に記載のイメージ分割装置では、メモリにＲＩＰ後のイメージデータしか保存しないため、メモリの容量に起因する問題は特にない。しかし、製本や面付けのページ数が多くなると面付けされたイメージを分割する作業に時間がかかるという問題がある。
【０００６】
本発明は、上述の問題に鑑みて成されたものであり、複数のページの画像データが、Ｎｉｎ１印刷を行うためのページ順で複数枚のシートのそれぞれにレイアウトされたデータに含まれる複数のページを分割して出力する場合に、より早く画像データの出力を開始できる仕組みを提供することを目的とする。
【課題を解決するための手段】
【０００７】
本発明は、例えば、画像処理装置として実現できる。画像処理装置は、複数のページの画像データが、製本を行うためのページ順で複数枚のシートのそれぞれにレイアウトされた第１のデータ、及び、複数のページの画像データが、Ｎｉｎ１印刷を行うためのページ順で複数枚のシートのそれぞれにレイアウトされた第２のデータを格納する格納手段と、第１のデータまたは第２のデータに含まれる複数のページの画像データをページごとの画像データに分割する分割手段と、分割手段によって分割された複数のページの画像データのページ順を変更する変更手段と、第１のデータに含まれる複数のページの画像データが分割手段によって分割される場合、分割手段によって分割された複数のページの画像データのページ順を変更手段が変更し終わってから、分割手段によって分割された複数のページの画像データの出力を開始し、第２のデータに含まれる複数のページの画像データが分割手段によって分割される場合、分割手段によって分割された複数のページの画像データのページ順を変更手段が変更し終わる前に、分割手段によって分割された複数のページの画像データの出力を開始する制御手段とを有することを特徴とする。
【０００８】
また、本発明は、例えば、画像処理装置の制御方法として実現できる。制御方法は、複数のページの画像データが、製本を行うためのページ順で複数枚のシートのそれぞれにレイアウトされた第１のデータ、及び、複数のページの画像データが、Ｎｉｎ１印刷を行うためのページ順で複数枚のシートのそれぞれにレイアウトされた第２のデータを、格納手段に格納する格納ステップと、第１のデータまたは第２のデータに含まれる複数のページの画像データをページごとの画像データに分割する分割ステップと、分割ステップで分割された複数のページの画像データのページ順を変更する変更ステップと、第１のデータに含まれる複数のページの画像データが分割ステップで分割される場合、分割ステップで分割された複数のページの画像データのページ順を変更ステップで変更し終わってから、分割ステップで分割された複数のページの画像データの出力を開始し、第２のデータに含まれる複数のページの画像データが分割ステップで分割される場合、分割ステップで分割された複数のページの画像データのページ順を変更ステップで変更し終わる前に、分割ステップで分割された複数のページの画像データの出力を開始する制御ステップとを有することを特徴とする。
【発明の効果】
【０００９】
本発明は、例えば、複数のページの画像データが、Ｎｉｎ１印刷を行うためのページ順で複数枚のシートのそれぞれにレイアウトされたデータに含まれる複数のページを分割して出力する場合に、より早く画像データの出力を開始できる。
【発明を実施するための最良の形態】
【００１０】
以下に本発明の一実施形態を示す。以下で説明される個別の実施形態は、本発明の上位概念、中位概念及び下位概念など種々の概念を理解するために役立つであろう。また、本発明の技術的範囲は、特許請求の範囲によって確定されるのであって、以下の個別の実施形態によって限定されるわけではない。
【００１１】
＜全体構成＞
以下では、図１乃至図２３を参照して、本発明に係る実施形態について説明する。図１は、本実施形態に係るシステムの概要を示す図である。
【００１２】
ネットワーク１０１には、ＤＴＰアプリやユーティリティが入ったＰＣ（Ｐｅｒｓｏｎａｌ  Ｃｏｍｐｕｔｅｒ）１０２やＰＣ１０５が接続されている。さらに、ネットワーク１０１には、コピー機能、印刷機能、ＦＡＸ機能など複数の機能を有し、画像処理装置として機能するＭＦＰ（Ｍｕｌｔｉ  Ｆｕｎｃｔｉｏｎ  Ｐｅｒｉｐｈｅｒａｌ）１０３と印刷出力物の後処理を行うフィニッシング装置１０４とが接続されている。また、ネットワーク１０１には、図１に示す各装置の他に、複数のＰＣ、ＭＦＰ、フィニッシング装置が接続されてもよい。
【００１３】
＜ＰＣの構成＞
次に、図２を参照して、ＰＣ１０２の構成について説明する。図２は、本実施形態に係るＰＣ１０２の構成例を示すブロック図である。
【００１４】
ＰＣ１０２は、複数の指示を処理するＣＰＵ、ＲＡＭからなる制御部２０２と、様々な情報を格納するＨＤＤやＲＡＭからなるメモリ部２０３を備える。また、ＰＣ１０２は、処理結果をディスプレイなどの表示装置を介してユーザに表示し、ユーザからの入力指示を受け付ける操作部２０４を備える。さらに、ＰＣ１０２は、ネットワーク１０１に接続され、ＭＦＰ１０３や他のＰＣ１０５、フィニッシング装置１０４などとの通信を行うための外部インターフェイス２０５を備える。
【００１５】
ＰＣ１０２には、電子文書を印刷するためのアプリケーション及びドライバがインストールされている。ＰＣ１０２は、操作部２０４を介してユーザが印刷を指示するとドライバ経由で、ＭＦＰ１０３やフィニッシング装置１０４に対して印刷可能な電子文書を表すイメージファイルと製本設定が記されたジョブチケットを送信する。以下では、イメージファイルとジョブチケットとを合わせてジョブと称す。このとき投入されるジョブのジョブチケットには、ＭＦＰ１０３が印刷物を生成するときの製本や面付けなどの設定が書かれている。面付けとは、製本の折り単位に各ページがページ順になるように、製本仕様に基づいて各ページを配列することをいう。面付け処理は、例えば、原稿作成、編集、印刷等をＰＣ１０２から制御するためのＤＴＰ（Ｄｅｓｋｔｏｐ  Ｐｕｂｌｉｓｈｉｎｇ）アプリによって行われる。また、イメージファイルは、複数のイメージデータから構成される。
【００１６】
＜ＭＦＰの構成＞
次に、図３を参照して、ＭＦＰ１０３の構成について説明する。図３は、本実施形態に係るＭＦＰ１０３の構成例を示すブロック図である。
【００１７】
ＭＦＰ１０３は、複数のジョブのデータを記憶するハードディスク等のメモリを備える。また、ＭＦＰ１０３は、スキャナから出力されたジョブデータを当該メモリを介してプリンタ部３１２で印刷するコピー機能を備える。さらに、ＭＦＰ１０３は、コンピュータ等の外部装置から出力されたジョブデータに対し当該メモリを介してプリンタ部３１２で印刷するプリント機能を有する。このように、ＭＦＰ１０３は、複数の機能を有する画像処理装置である。
【００１８】
ＭＦＰ１０３には、フルカラー機器とモノクロ機器がある。この２つは色処理や内部データなどを除いて、基本的な部分において、フルカラー機器がモノクロ機器の構成を包含することが多い。そこで、ここではフルカラー機器に絞って説明し、必要に応じて随時モノクロ機器の説明を加えることとする。
【００１９】
また、本システムでは、上記の如く、複数の機能を具備した複合機能型の画像処理装置を有する。また、プリント機能のみを具備した単一機能型の画像処理装置等のＳＦＰ（Ｓｉｎｇｌｅ  Ｆｕｎｃｔｉｏｎ  Ｐｅｒｉｐｈｅｒａｌ）を有してもよい。さらに、何れか一方のタイプの画像処理装置のみを有してもよい。また、何れのタイプの画像処理装置であっても、複数台を有してもよい。
【００２０】
＜ＭＦＰのデータの入力部＞
図３に示すように、ＭＦＰ１０３は、外部からのデータの入力部として、紙原稿などの画像を読み取り、読み取られた画像データを画像処理する入力画像処理部３０１を備える。また、ＭＦＰ１０３は、ファクシミリなどに代表される電話回線を利用した画像の送受信を行うＦＡＸ部３０２と、ネットワークを利用して画像データや装置情報をやりとりするＮＩＣ（Ｎｅｔｗｏｒｋ  Ｉｎｔｅｒｆａｃｅ  Ｃａｒｄ）部３０３とを備える。さらに、ＭＦＰ１０３は、外部装置と画像データなどの情報交換を行う専用インターフェイス部（以降、専用Ｉ／Ｆ部と呼ぶ）３０４を備える。ＭＦＰ１０３は、ＵＳＢ（Ｕｎｉｖｅｒｓａｌ  Ｓｅｒｉａｌ  Ｂｕｓ）メモリ（リムーバブルメディアの一種）に代表されるＵＳＢ機器と画像データなどを送受するＵＳＢインターフェイス（ＵＳＢ  Ｉ／Ｆ）部３０５を備える。
【００２１】
また、ＭＦＰ１０３は、ジョブ制御部３０６、文書管理部３０７、圧縮伸張部３０８、リソース管理部３０９、ＲＩＰ部３１０、出力画像処理部３１１、プリンタ部３１２、後処理部３１３及び操作部３１４を備える。以下では、これらのブロックに関しての詳細について説明する。
【００２２】
＜ＭＦＰの文書管理部３０７＞
文書管理部３０７は、複数の画像データを格納するハードディスク等のメモリを備える。具体的に、文書管理部３０７には、スキャナ入力画像処理部３０１からの画像データが格納される。また、文書管理部３０７には、ＦＡＸ部３０２を介して入力されたファクシミリジョブの画像データや、ＮＩＣ部３０３を介して入力されたコンピュータ等の外部装置からの画像データが格納される。さらに、文書管理部３０７には、専用Ｉ／Ｆ部３０４やＵＳＢ Ｉ／Ｆ部３０５を介して入力された様々な画像データ等の複数種類の画像データが格納される。
【００２３】
また、文書管理部３０７は、ハードディスクに格納された画像データを適宜読み出して、プリンタ部３１２等の出力部に転送して、プリンタ部３１２によるプリント処理等の出力処理を実行する。また、文書管理部３０７は、オペレータからの指示により、ハードディスクから読み出した画像データを、コンピュータや他の画像処理装置等の少なくとも１つの外部装置への転送又は分散転送を制御する。
【００２４】
＜ＭＦＰのリソース管理部３０９＞
リソース管理部３０９には、フォント、カラープロファイル、ガンマテーブルなど共通に扱われる各種パラメータテーブルなどが格納される。また、リソース管理部３０９は必要に応じてそれらの値を呼び出すことができる。さらに、リソース管理部３０９は、新しいパラメータテーブルを格納したり、修正して更新したりすることができる。また、リソース管理部３０９では、印刷速度や使用可能な通信のための物理チャンネル数などの情報も管理している。
【００２５】
＜ＭＦＰの操作部３１４の構成＞
図４は、本実施形態に係る操作部３１４の構成例を示す図である。操作部３１４は、ＭＦＰ１０３の状態の表示や指示を行うことのできるタッチパネル式のＬＣＤ４０１とテンキーや電源ボタンなどのハードキーから構成される。
【００２６】
ＬＣＤ４０１には、ＭＦＰ１０３が実現するそれぞれの機能に応じたＵＩ（ユーザーインターフェイス）が表示され、タッチパネルからの入力やハードキーからの入力に応じて画面を遷移させる。操作部３１４は、複数の画面からなり、ＭＦＰ１０３の操作（コピー、ファックス、ボックス投入、リモートスキャナなど）に合わせて、それぞれ操作インターフェイスを備える。また、操作部３１４では、ＭＦＰ１０３のジョブ処理状況や、ＭＦＰ１０３のハードウェアの状態（ドアオープンや紙なしなど）を把握できるようになっている（システム状況／中止ボタン）。
【００２７】
操作部３１４は、ハードキーとしてＬＣＤ４０１のコントラストを変化させるコントラストボリューム（Ｃｏｎｔｒａｓｔ）、カウンター画面を表示するカウンターボタン（Ｃｏｕｎｔｅｒ Ｃｈｅｃｋ）を備える。また、操作部３１４は、電源のＯＮ／ＯＦＦを行う電源ボタン、ＬＣＤ４０１の電源だけを消すパワーセーブボタン（Ｐｏｗｅｒ Ｓａｖｉｎｇ）、操作のキャンセルを行うリセットボタンを備える。さらに、操作部３１４は、オペレータに対してガイドを表示するガイドボタン（Ｇｕｉｄｅ）、ユーザモードに画面を遷移するユーザモードボタン（Ａｄｄｉｔｉｏｎａｌ Ｆｕｎｃｔｉｏｎ）を備える。さらに、操作部３１４は、数字の入力を行うテンキーボタン、及びコピーやスキャニングを開始する実行ボタンを備える。ハードキーから入力された情報によって、ジョブ制御部３０６などとやり取りを行うことで常に更新される。ジョブ制御部３０６は、その情報を用いて画面の遷移を制御する。
【００２８】
＜ＭＦＰのジョブ制御部３０６＞
ジョブ制御部３０６は、ＭＦＰ１０３の使用機能に応じて画像データを一時保存したり、経路を決定したりといった処理を制御する。具体的に、ジョブ制御部３０６は、円滑にジョブを流す役割を担っており、ＭＦＰ１０３の機能ごとに、データのパスを切り替える。但し、中間データとして画像データを必要に応じて格納することは一般に知られているが、ここでは文書管理部３０７が始点、終点になるアクセスについて説明する。また、必要に応じて利用される圧縮伸張部３０８、後処理部３１３、又はジョブ制御部３０６などの処理は省略して、データ又は処理の流れの概要について説明する。
Ａ）  複写機能                  ：スキャナ入力部→画像処理部→プリンタ部
Ｂ）  ファクシミリ送信機能      ：スキャナ入力部→ＦＡＸ部
Ｃ）  ファクシミリ受信機能      ：ＦＡＸ部→画像処理部→プリンタ部
Ｄ）  ネットワークスキャン      ：スキャナ入力部→ＮＩＣ部
Ｅ）  ネットワークプリント      ：ＮＩＣ部→ＰＤＬ部→画像処理部→プリンタ部
Ｆ）  外部装置へのスキャン      ：スキャナ入力部→専用Ｉ／Ｆ部
Ｇ）  外部装置からのプリント    ：専用Ｉ／Ｆ部→ＰＤＬ部→画像処理部→プリンタ部
Ｈ）  外部メモリへのスキャン    ：スキャナ入力部→ＵＳＢ  Ｉ／Ｆ部
Ｉ）  外部メモリからのプリント  ：ＵＳＢ  Ｉ／Ｆ部→ＰＤＬ部→画像処理部→プリンタ部
Ｊ）  ボックススキャン機能      ：スキャナ入力部→画像処理部→文書管理部
Ｋ）  ボックスプリント機能      ：文書管理部→プリンタ部
Ｌ）  ボックス受信機能          ：ＮＩＣ部→ＰＤＬ部→画像処理部→文書管理部
Ｍ）  ボックス送信機能          ：文書管理部→ＮＩＣ部
Ｎ）  プレビュー機能            ：文書管理部→操作部
上記以外にも、Ｅ−ｍａｉｌサービスやＷｅｂサーバ機能を初めとして、様々な機能との組み合わせが考えられるが、ここでは省略する。
【００２９】
ここで、ボックススキャン、ボックスプリント、ボックス受信、又は、ボックス送信とは、文書管理部３０７を利用したデータの書き込みや読み出しを伴うＭＦＰ１０３の処理機能である。これは、ジョブ毎やユーザ毎に文書管理部３０７内のメモリを分割して一次的にデータを保存し、ユーザＩＤやパスワードを組み合わせてデータの入出力を行う機能である。
【００３０】
操作部３１４は、ユーザが上記の様々なフローや機能を選択したり、操作指示したりするためのものである。しかし、操作部３１４の表示装置の高解像度化に伴い、文書管理部３０７にある画像データをプレビューし、確認後ＯＫならばプリントするといったことも実現できる。
【００３１】
＜分割出力処理＞
次に、図５乃至図１９を参照して、本実施形態による分割処理について説明する。まず、図１７を参照して、ジョブの設定に応じた分割処理について説明する。図１７は、本実施形態に係る分割処理の処理手順を示すフローチャートである。また、以下で説明する処理は、ジョブ制御部３０６によって統括的に制御される。
【００３２】
ＤＴＰアプリやユーティリティを使った印刷をＭＦＰの文書管理部３０７に保存する場合は、全ページに対応する面付けされたイメージデータと面付け後のフィニッシングなどの後工程処理（出力形式）が指定されたジョブチケットとが保存される。本実施形態では、保存されたジョブが再び処理される場合に、ジョブチケットに含まれる出力形式（ノーマルジョブ、Ｎｉｎ１ジョブ、中綴じ製本ジョブ）を判断し、判断した出力形式に従って出力方法を切り替える。例えば、ノーマルジョブの場合は、イメージデータの分割処理を行うことなく出力される。一方、Ｎｉｎ１ジョブ及び中綴じ製本ジョブでは、イメージデータに割り付けられた複数のページイメージデータを分割して出力される。さらに、各ジョブによって分割されたページイメージデータを出力する出力タイミングを切り替えることにより、ＭＦＰ１０３の生産性の低下を抑制する。したがって、以下では、ジョブ制御部３０６は、切替手段として機能する。
【００３３】
ステップＳ１７０１において、ジョブ制御部３０６は、メモリに保存されたジョブが操作部３１４を用いてユーザによって選択されたか否かを判定する。ここで、図５乃至図７を参照して、ユーザがジョブを選択するまでの具体的な手順を説明する。図５は、本実施形態に係るＭＦＰ１０３のコピー画面５００を示す図である。図６は、本実施形態に係るＭＦＰ１０３のユーザボックス画面６００を示す図である。図７は、本実施形態に係るＭＦＰ１０３のジョブ選択画面７００を示す図である。
【００３４】
ＭＦＰ１０３は、起動すると通常、図５に示すコピー画面５００をＬＣＤ４０１に表示する。続いて、コピー画面５００において画面上部のボックスボタンが押下されると、図６に示すユーザボックス画面６００がＬＣＤ４０１に表示される。ユーザボックス画面６００は、ＭＦＰ１０３のメモリに保存したジョブを確認・処理するための画面である。例えば、ユーザがＰＣ１０２から投入したジョブは、投入時に指定したボックス番号のボタン（画面中央）を押下することで確認できる。
【００３５】
ユーザボックス画面６００でボックス番号が押下されると、図７に示すジョブ選択画面７００がＬＣＤ４０１に表示される。図７では、一例として、ユーザボックス画面６００においてボックス番号００が選択された場合の画面について示している。なお、ここでは、図７の上から順番に、ノーマルジョブ、Ｎｉｎ１ジョブ、中綴じ製本ジョブのジョブが投入されていることとする。
【００３６】
各ジョブについて図１１を参照して説明する。図１１は、本実施形態に係るジョブの種別を示す図である。図１１のＡに示すノーマルジョブとは、面付けや製本処理が行われていない通常の印刷ジョブを示す。図１１のＢ−１に示すＮｉｎ１ジョブとは、Ｎページ分のイメージデータが１つのイメージデータとして割り当てられているジョブを示す。Ｎｉｎ１ジョブには、Ｚ型や逆Ｎ型などのページ配置の設定を行うことができる。図１１のＢ−２に示す中綴じ製本ジョブとは、２ページ分のイメージデータが１つのイメージデータとして割り当てられているジョブを示す。中綴じ製本ジョブには、右開きや左開きの設定を行うことができる。
【００３７】
ここで、図１２乃至図１６を参照して、各ジョブのレイアウト（出力形式）について説明する。図１２は、ノーマルジョブのレイアウトを示す図である。このように、ノーマルジョブの場合は、イメージファイル１２０３の１つのイメージデータ１２０２ごとに１ページ分のページイメージデータ１２０１が割りつけられる。
【００３８】
図１３は、Ｚ型の４ｉｎ１の面付けジョブのレイアウトを示す図である。４ｉｎ１ジョブの場合は、イメージファイルの１つのイメージデータ１２０２ごとに４ページ分のページイメージデータ１２０１が割り付けられる。また、図１３に示すジョブはＺ型であるため、１枚の記録材に対して、縮小した１ページ目が当該記録材の左上、２ページ目が当該記録材の右上、３ページ目が当該記録材の左下、４ページ目が当該記録材の右下に配置される。
【００３９】
図１４は、逆Ｎ型の４ｉｎ１の面付けジョブのレイアウトを示す図である。図１３とページイメージデータ１２０１の割付順序が異なる。具体的に、図１４に示すように、１枚の記録材に対して、縮小した１ページ目が当該記録材の左上、２ページ目が当該記録材の左下、３ページ目が当該記録材の右上、４ページ目が当該記録材の右下に配置される。
【００４０】
図１５は、左開きの中綴じ製本ジョブのレイアウトを示す図である。図１６は、右開きの中綴じ製本ジョブのレイアウトを示す図である。図１５に示すように、左開きの中綴じ製本ジョブでは、１つ目のイメージデータ１２０２に対して、Ｎページ目のページイメージデータ１２０１が左に配置され、１ページ目のページイメージデータ１２０１が右に配置される。一方、図１６に示すように、右開きの中綴じ製本ジョブでは、１つ目のイメージデータ１２０２に対して、１ページ目のページイメージデータ１２０１が左に配置され、Ｎページ目のページイメージデータ１２０１が右に配置される。
【００４１】
このようにジョブの設定によって面付けの順番が変わるため、本実施形態では、ジョブチケットの情報を元に分割の判断を行う。図１７のフローチャートの説明に戻る。
【００４２】
ステップＳ１７０１でジョブ選択画面７００を介してジョブが選択されると、ステップＳ１７０２において、ジョブ制御部３０６は、選択されたジョブの設定を確認する。具体的に、ジョブ制御部３０６は、当該ジョブの設定、即ち、上述したジョブの種別（ノーマルジョブ、Ｎｉｎ１ジョブ、中綴じ製本ジョブなど）の情報をＭＦＰ１０３のメモリから取得する。
【００４３】
次に、ステップＳ１７０３において、ジョブ制御部３０６は、このとき１つのイメージデータ１２０２に複数のページイメージデータ１２０１がレイアウトされているかを判定する。ここで、ジョブ制御部３０６は、１つのイメージデータ１２０２に複数のページイメージデータ１２０１がレイアウトされていると判定すると、処理をＳ１７０５に遷移させる。一方、１つのイメージデータ１２０２に単一のページイメージデータ１２０１がレイアウトされていると判定すると、ジョブ制御部３０６は、処理をＳ１７０４に遷移させる。
【００４４】
ステップＳ１７０４において、ジョブ制御部３０６は、選択されたジョブがノーマルジョブであると判定し、図８に示すジョブ選択画面８００に含まれるバラシ出力ボタン８０１をグレーアウト表示にし、イメージデータ１２０１の分割を禁止するように制御する。図８は、本実施形態に係るジョブ選択画面８００を示す図である。バラシ出力ボタン８０１は、イメージデータ１２０２の分割出力処理を実行するために使用されるボタンである。したがって、ここでは、イメージデータ１２０２が単一のページイメージデータ１２０１のみを含むため、分割出力処理を実行する必要がないため、選択できないように制御する。その後、ステップＳ１７０９において、ジョブ制御部３０６は、選択されたジョブの出力処理を実行し、処理を終了する。
【００４５】
一方、ステップＳ１７０５において、ジョブ制御部３０６は、選択されたジョブがＮｉｎ１ジョブ又は中綴じ製本ジョブであると判断し、図９や図１０に示すジョブ選択画面９００、１０００に含まれるバラシ出力ボタン９０１、１００１を選択可能に表示する。図９は、本実施形態に係るＮｉｎ１ジョブが選択された状態のジョブ選択画面９００を示す図である。図１０は、本実施形態に係る中綴じ製本ジョブが選択された状態のジョブ選択画面１０００を示す図である。
【００４６】
ここで、バラシ出力ボタン９０１、１００１が押下されると、ステップＳ１７０６において、ジョブ制御部３０６は、Ｓ１７０１で選択されたジョブがＮｉｎ１ジョブであるか否かを判定する。Ｎｉｎ１ジョブである場合、ジョブ制御部３０６は、処理をＳ１７０７に遷移させ、図１８を参照して後述するＮｉｎ１ジョブ時の分割出力処理を実行する。
【００４７】
一方、Ｎｉｎ１ジョブでないと判定すると、ジョブ制御部３０６は、選択されたジョブが中綴じ製本ジョブであると判定して処理をＳ１７０８に遷移させ、図１９を参照して後述する中綴じ製本ジョブ時の分割出力処理を実行する。
【００４８】
＜Ｎｉｎ１ジョブ時の処理＞
次に、図１８及び図２０を参照して、Ｎｉｎ１ジョブ時の分割出力処理について説明する。図１８は、本実施形態に係るＮｉｎ１ジョブ時の分割出力処理の処理手順を示すフローチャートである。また、以下で説明する処理は、ジョブ制御部３０６によって統括的に制御される。なお、以下で説明する処理は、図１７のＳ１７０７の処理に相当する。
【００４９】
まず、ステップＳ１８０１において、ジョブ制御部３０６は、当該ジョブがどのような面付け順序（Ｚ型、逆Ｎ型）、及び用紙サイズを確認する。この処理は、ＭＦＰ１０３のＬＣＤ４０１における図９に示すジョブ選択時に行われてもよい。また、ユーザがバラシ出力ボタン９０１を押下すると、ステップＳ１８０２において、ジョブ制御部３０６は、ＬＣＤ４０１に図２０に示す出力先選択画面２０００を表示する。図２０は、出力先選択画面２０００を示す図である。選択先は別途用意してある宛先表管理画面で登録を行うことができる。出力先としては印刷（Ｐｒｉｎｔｅｒ１など）以外に、ＰＣ１０５などの外部機器のＩＰアドレスを登録することで指定されたＩＰアドレスに分割生成した複数のページイメージデータ１２０１を転送できる。
【００５０】
ジョブチケットの設定確認と出力先の選択が終了すると、ステップＳ１８０３において、ジョブ制御部３０６は、当該ジョブのその割り振り応じて、イメージデータ１２０２からページイメージデータ１２０１を分割する。続いて、ステップＳ１８０４乃至Ｓ１８０７において、ジョブ制御部３０６は、分割された個々のページイメージデータ１２０１ごとに、用紙サイズの大きさに応じて拡大１８０４、回転１８０５などの処理を行う。
【００５１】
上述したステップＳ１８０３乃至Ｓ１８０７の処理をイメージデータ１２０２に割り付けられているページイメージデータ１２０１の数だけ繰り返し行う。したがって、ステップＳ１８０８において、ジョブ制御部３０６は、１つのイメージデータ１２０２に対する分割処理が終了したか否かを判定し、終了している場合に処理をＳ１８０９に遷移させる。終了していない場合は、処理をＳ１８０３に戻す。
【００５２】
１つのイメージデータ１２０２に割り当てられているページイメージデータ１２０１の分割処理が全て終了すると、ステップＳ１８０９において、ジョブ制御部３０６は、生成されたページイメージデータ１２０１の並び替え処理を行う。その後、ステップＳ１８１０において、ジョブ制御部３０６は、Ｓ１８０２で選択された出力先に分割したページイメージデータ１２０１を出力する。
【００５３】
次に、ステップＳ１８１１において、ジョブ制御部３０６は、イメージファイル１２０３のページ数をカウントアップする。さらに、ステップＳ１８１２において、ジョブ制御部３０６は、全てのイメージデータの出力が終了したか否かをＳ１８１１で更新されたカウンタを確認することで判定する。全てのイメージデータ１２０２に対する分割処理が終了すると、ジョブ制御部３０６は、処理を終了する。一方、終了していない場合、ジョブ制御部３０６は、処理をＳ１８０３に戻す。
【００５４】
＜中綴じ製本ジョブ時の処理＞
次に、図１９及び図２０を参照して、中綴じ製本ジョブ時の分割出力処理について説明する。図１９は、本実施形態に係る中綴じ製本ジョブ時の分割出力処理の処理手順を示すフローチャートである。また、以下で説明する処理は、ジョブ制御部３０６によって統括的に制御される。なお、以下で説明する処理は、図１７のＳ１７０８の処理に相当する。
【００５５】
まず、ステップＳ１９０１において、ジョブ制御部３０６は、当該ジョブの綴じの向き（左開き、右開き）、面付け順序、及び用紙サイズを確認する。この処理は、ＭＦＰ１０３のＬＣＤにおける図１０に示すジョブ選択時に行われてもよい。また、ユーザがバラシ出力ボタン１００１を押下すると、ステップＳ１９０２において、ジョブ制御部３０６は、ＬＣＤ４０１に出力先選択画面２０００を表示する。選択先は別途用意してある宛先表管理画面で登録を行うことができる。出力先としては印刷（Ｐｒｉｎｔｅｒ１など）以外に、ＰＣ１０５などの外部機器のＩＰアドレスを登録することで指定されたＩＰアドレスに分割生成した複数のページイメージデータ１２０１を転送できる。
【００５６】
ジョブチケットの設定確認と出力先の選択が終了すると、ステップＳ１９０３において、ジョブ制御部３０６は、当該ジョブのその割り振りに応じて、イメージデータ１２０２からページイメージデータ１２０１を分割する。続いて、ステップＳ１９０４乃至Ｓ１９０７において、ジョブ制御部３０６は、分割された個々のページイメージデータ１２０１ごとに、用紙サイズの大きさに応じて拡大１８０４、回転１８０５などの処理を行う。
【００５７】
上述したステップＳ１９０３乃至Ｓ１９０７の処理をイメージデータ１２０２に割り付けられているページイメージデータ１２０１の数だけ繰り返し行う。したがって、ステップＳ１９０８において、ジョブ制御部３０６は、１つのイメージデータ１２０２に対する分割処理が終了したか否かを判定し、終了している場合に処理をＳ１９０９に遷移させる。終了していない場合は、処理をＳ１９０３に戻す。
【００５８】
中綴じ製本の場合は、図１５及び図１６に示すように、１ページ目のページイメージデータ１２０１と最終ページのページイメージデータ１２０１が１ページ目のイメージデータ１２０２に割り当てられる。したがって、Ｎｉｎ１ジョブ時の分割処理とは異なり、１ページ分のイメージデータを分割しただけでは並び替え作業を行うことはできない。そのため、ステップＳ１９０９において、ジョブ制御部３０６は、イメージデータのページ数をカウントアップする。続いて、ステップＳ１９１０において、ジョブ制御部３０６は、全ページのイメージデータをページイメージデータ１２０１に分割するまでＳ１９０３乃至Ｓ１９０９の処理を繰り返し行う。
【００５９】
その後、イメージデータファイルの全ページの分割が終了すると、ステップＳ１９１１において、ジョブ制御部３０６は、ページイメージデータ１２０１の並べ替え処理を行う。さらに、ステップＳ１９１２において、ジョブ制御部３０６は、Ｓ１９０２で選択された出力先にページイメージデータ１２０１を出力する。続いて、ステップＳ１９１３において、ジョブ制御部３０６は、出力したページイメージデータ１２０１のページ数をカウントアップする。その後、ステップＳ１９１４において、ジョブ制御部３０６は、全てのページイメージデータ１２０１の出力が終了するまでＳ１９１２及びＳ１９１３の処理を繰り返す。
【００６０】
＜分割出力処理の設定＞
次に、図２１乃至図２３を参照して、分割出力処理の設定について説明する。図２１は、ＭＦＰ１０３の設定画面２１００を示す図である。図２２は、共通仕様設定画面２２００を示す図である。図２３は、バラシ出力設定画面２３００を示す図である。
【００６１】
ユーザがページイメージデータ１２０１の抜き出しの設定を所望する場合、まず、図２１に示す設定画面２１００に表示された共通仕様設定キー２１０１が押下される。共通仕様設定キー２１０１が押下されると、図２２に示す共通仕様設定画面２２００がＬＣＤ４０１に表示される。さらに、共通仕様設定画面２２００のバラシ出力設定キー２２０１が押下されて、図２３に示すバラシ出力設定画面２３００がＬＣＤ４０１に表示される。
【００６２】
バラシ出力設定画面２３００では、出力するページイメージデータのファイルフォーマット２３０１、出力する用紙サイズ２３０２、トンボマスク２３０３及び白紙抜き２３０４の機能を設定することができる。ここで設定された情報は、ＭＦＰ１０３のリソース管理部３０９に保存される。バラシ出力設定画面２３００で有効となった設定は、バラシ出力が選択された場合に用いられることとなる。
【００６３】
本実施形態では、ファイルフォーマットとして、例えば、ＰＤＦ、Ｔｉｆｆ、ＢＭＰ、ＪＰＥＧ、ＪＢＩＧなどの形式が設定できる。また、トンボマスクが設定されると、断裁用などのための印がページイメージデータに付加される。さらに白紙抜き２３０４が設定されると、イメージデータのない白紙データのページイメージデータを削除して出力が行われる。
【００６４】
以上説明したように、本実施形態に係る画像処理装置は、格納されたジョブを処理する際に、ジョブチケットに設定された出力形式を判定し、判定した出力形式に従ってイメージデータを分割するか否かを決定する。さらに、本画像処理装置は、判定した出力形式に従って分割したページイメージデータの出力タイミングを切り替える。具体的に、本画像処理装置は、１枚の記録材に対するイメージデータに複数のページイメージデータが割り付けられている場合、例えば、中綴じ製本ジョブ又はＮｉｎ１ジョブの場合にイメージデータの分割処理を行う。
【００６５】
このように本画像処理装置ではジョブの設定内容（用紙サイズ、Ｎｉｎ１、中綴じ、回転）に応じてイメージデータを出力するタイミングを変更する。具体的に、本画像処理装置は、出力形式が中綴じ製本であった場合に、全てのイメージデータに対するページイメージデータを分割した後に出力を開始させる。一方、出力形式がＮｉｎ１であった場合に、本画像処理装置は、１枚の記録材に対するイメージデータをＮ個のページイメージデータに分割するごとに出力を開始させる。これにより、出力形式がＮｉｎ１であった場合は、より効率的に出力処理を実行することができる。このように、多数のページデータを面付けしたジョブの分割の場合、ＭＦＰのイメージ生成処理にかかる時間を短時間に抑えることができ、さらに、適正な出力順の出力結果を早く得ることができる。
【００６６】
また、本画像処理装置は、１枚の記録材に対するイメージデータに単一のページイメージデータを割り付けるノーマルジョブである場合は、イメージデータの分割処理を禁止する。これにより、本画像処理装置は、無駄な処理を行うことなく効率的にジョブを実行することができる。
【図面の簡単な説明】
【００６７】
【図１】本実施形態に係るシステムの概要を示す図である。
【図２】本実施形態に係るＰＣ１０２の構成例を示すブロック図である。
【図３】本実施形態に係るＭＦＰ１０３の構成例を示すブロック図である。
【図４】本実施形態に係る操作部３１４の構成例を示す図である。
【図５】本実施形態に係るＭＦＰ１０３のコピー画面５００を示す図である。
【図６】本実施形態に係るＭＦＰ１０３のユーザボックス画面６００を示す図である。
【図７】本実施形態に係るＭＦＰ１０３のジョブ選択画面７００を示す図である。
【図８】本実施形態に係るジョブ選択画面８００を示す図である。
【図９】本実施形態に係るＮｉｎ１ジョブが選択された状態のジョブ選択画面９００を示す図である。
【図１０】本実施形態に係る中綴じ製本ジョブが選択された状態のジョブ選択画面１０００を示す図である。
【図１１】本実施形態に係るジョブの種別を示す図である。
【図１２】ノーマルジョブのレイアウトを示す図である。
【図１３】Ｚ型の４ｉｎ１の面付けジョブのレイアウトを示す図である。
【図１４】逆Ｎ型の４ｉｎ１の面付けジョブのレイアウトを示す図である。
【図１５】左開きの中綴じ製本ジョブのレイアウトを示す図である。
【図１６】右開きの中綴じ製本ジョブのレイアウトを示す図である。
【図１７】本実施形態に係る分割処理の処理手順を示すフローチャートである。
【図１８】本実施形態に係るＮｉｎ１ジョブ時の分割出力処理の処理手順を示すフローチャートである。
【図１９】本実施形態に係る中綴じ製本ジョブ時の分割出力処理の処理手順を示すフローチャートである。
【図２０】出力先選択画面２０００を示す図である。
【図２１】ＭＦＰ１０３の設定画面２１００を示す図である。
【図２２】共通仕様設定画面２２００を示す図である。
【図２３】バラシ出力設定画面２３００を示す図である。
【符号の説明】
【００６８】
１０１：ネットワーク
１０２、１０５：ＰＣ
１０３：ＭＦＰ
１０４：フィニッシング装置
【図１】
0005028252.tif 000002
【図２】
0005028252.tif 000003
【図３】
0005028252.tif 000004
【図４】
0005028252.tif 000005
【図５】
0005028252.tif 000006
【図６】
0005028252.tif 000007
【図７】
0005028252.tif 000008
【図８】
0005028252.tif 000009
【図９】
0005028252.tif 000010
【図１０】
0005028252.tif 000011
【図１１】
0005028252.tif 000012
【図１２】
0005028252.tif 000013
【図１３】
0005028252.tif 000014
【図１４】
0005028252.tif 000015
【図１５】
0005028252.tif 000016
【図１６】
0005028252.tif 000017
【図１７】
0005028252.tif 000018
【図１８】
0005028252.tif 000019
【図１９】
0005028252.tif 000020
【図２０】
0005028252.tif 000021
【図２１】
0005028252.tif 000022
【図２２】
0005028252.tif 000023
【図２３】
0005028252.tif 000024